(57)【要約】      （修正有）【課題】  近年では枠体に多機能性を持たせた、中空状のアルミ異形押し出し型材や、スチール板材を折曲させた枠体を使用してるが、木材と同様にＬ字金具や、三角形の面状金具等で接続している現状である。【解決手段】  接続物体の端面に設けた金具挿通部３と、金具挿通部３に設けた金具挿通用長孔３ａと、金具挿通用長孔３ａに挿通させる一対の固定用金具４と、固定用金具４の長辺操作部４ｃに穿設したビス貫通孔４ｄとビス螺合孔４ｅと、ビス螺合孔４ｅに螺合させる操作用ネジ５とを備え、一対の固定用金具４は背中合わせに角部４ａを当接させたとき長辺操作部４ｃが離間するように傾斜部４ｃａが形成され、操作用ネジ５により長辺操作部４ｃの離間を近接させることにより短辺圧接部４ｂが物体の被接続部を内側から接続物体の端面に圧接させるものである。【選択図】  図１
2008039073.tif 000002
【特許請求の範囲】
【請求項１】
両側辺に鍔状の被接続部を有する物体と、該物体に組込スペースを有する接続物体の端面を接続する接続機構であって、前記接続物体の端面の組込スペースを覆うように設けた金具挿通部と、該金具挿通部に設けた細い矩形状の金具挿通用長孔と、該金具挿通用長孔に角部を当接させて背中合わせに且つ短辺圧接部を突出させて長辺操作部を挿通させる側面略Ｌ字状の一対の固定用金具と、該一対の固定用金具の夫々の長辺操作部に穿設したビス貫通孔とビス螺合孔と、該ビス貫通孔とビス螺合孔とに挿通螺合させる操作用ネジとを備え、前記側面略Ｌ字状の一対の固定用金具は背中合わせに角部を当接させたとき夫々の長辺操作部が離間するように傾斜部が形成され、前記操作用ネジにより夫々の長辺操作部の離間を近接させることにより夫々の短辺圧接部が物体の被接続部を内側から接続物体の端面に圧接させることを特徴とする接続機構。
【請求項２】
前記両側辺に鍔状の被接続部を有する物体は側面の両側辺に断面逆Ｌ字状に対峙させたレール部を有するアルミ異形押し出し型材タイプの枠体とし、前記物体の側面に端面接続する接続物体は組込スペースを有する中空状のアルミ異形押し出し型材タイプの接続枠体とすることを特徴とする請求項１に記載の接続機構。
【請求項３】
前記金具挿通部を板状部材で形成し、該金具挿通部の両端辺に夫々のネジ挿通孔を穿設すると共に、前記接続物体の端面の両側の縦方向に夫々固定用ネジ部を形成し、該夫々の固定用ネジ部に螺合する夫々の固定用ネジで前記金具挿通部を固定させることを特徴とする請求項１又は請求項２に記載の接続機構。
【請求項４】
前記操作用ネジを操作するために接続物体に操作用部を形成したことを特徴とする請求項１〜３のいずれか一項に記載の接続機構。
【請求項５】
前記一対の固定用金具をバネ部材で形成したことを特徴とする請求項１〜４のいずれか一項に記載の接続機構。
【発明の詳細な説明】
【技術分野】
【０００１】
本発明は、物体と接続物体とを接続する接続機構に関するものであって、更に、詳細には、特に、展示コーナー、ブース、パーテーション等を展設する際の枠体、パネル体に好適なもので、レール状の被接続部を有する物体の側面の任意な位置に組込スペースを有する接続物体の端面を指先の回転力程度の軽い力で容易に且つ強固に接続できる接続機構に関するものである。
【背景技術】
【０００２】
従来、展示会等の展示用ブース、また、店舗、事務所等の間仕切りなどもの多くは枠体と面状のパネル材とを組み合わせた囲いを基本として展設、間仕切りしており、枠体は木材で、パネル材はベニヤ板などの合板が使用されており、これら枠体側面と枠体端面とを接続する場合は、枠体の端面にほぞを突設させ、枠体側面にほぞ穴を穿設して、嵌合させて接続したり、Ｌ字金具や、三角形の面状金具等をネジや、釘で固定して接続しているものである。
【０００３】
また、近年では枠体に多機能性を持たせた、中空状のアルミ異形押し出し型材や、スチール板材を折曲させた枠体を使用するように成ったが、木材と同様にＬ字金具や、三角形の面状金具等で接続させており、また、アルミ異形押し出し型材を用いて、側面に形成された逆Ｌ字状に対峙させたレール部の間にコマ状のナット金具を挿入してＬ字状金具等で枠体端面と枠体側面とを接続している現状である。
【０００４】
例えば、先に開示されている、アルミ型材で形成された複数のハンガーレール１６の端部を互いに直角に連結可能とするように切断し、四角枠１７を溶接で連結して複数のハンガーレール１６の端部を互いに直角に挿通可能としたブラケット１４を形成し、ブラケット１４でハンガーレール１６を直角に連結した状態に支持可能とし、家屋の構造物に固定される下地材１３に前記ブラケット１４を溶接で固定し、ブラケット１４を構成する各四角枠１７にはネジ孔２０を一列に複数設け、ハンガーレール１６にはネジ孔２０から突出されるボルト２４の先端に係合する係止溝２２を該ネジ孔２０の列に沿って設けたもの（特許文献１参照）や、パネルの左右側端面の上下方向に形成された端面側が小さく奥部側が大きな嵌合溝に嵌合する形状の第１嵌合部と、第１嵌合部と対称形の第２嵌合部が一体に形成された所定高さの連結部材を有し、一方のパネルの嵌合溝下端部に第１嵌合部を嵌合し、他方のパネルの嵌合溝の下端部に第２嵌合部を嵌合してパネル同士の下端部を連結すると共に、嵌合溝の下端面を閉塞あるいは開口自在で、嵌合溝の下端面を閉塞した状態で連結部材の下端部を支持する受け部材を、パネルの左右端部の下端部に設けたもの（特許文献２参照）や、パネルの左右側端面の上下方向に形成された端面側が小さく奥部側が大きな嵌合溝に嵌合する形状の第１嵌合部と、第１嵌合部と対称形の第２嵌合部が一体に形成された所定高さの連結部材を有し、一方のパネルの嵌合溝下端部に第１嵌合部を嵌合し、他方のパネルの嵌合溝の下端部に第２嵌合部を嵌合してパネル同士の下端部を連結すると共に、嵌合溝の下端面を閉塞あるいは開口自在で、嵌合溝の下端面を閉塞した状態で連結部材の下端部を支持すると共に、連結部材が上方に移動するのを阻止する受け部材を、パネルの左右端部の下端部に設けたもの（特許文献３参照）等が開示されている。
【特許文献１】特開平１０−７７７６０号公報
【特許文献２】特開２００４−１１６１０７号公報
【特許文献３】特開２００４−２０４５３４号公報
【発明の開示】
【発明が解決しようとする課題】
【０００５】
然し乍ら、特許文献１に記載のものは、四角枠１７を溶接で連結したり、下地材１３にブラケット１４を溶接で固定ししなければ成らず、簡易に接続できるものでなく、特許文献２又は特許文献３に記載のものは、構造が複雑な連結部材を使用しなければ成らず、連結作業も繁雑でコストもかかるものであり、課題を有しているものである。
【課題を解決するための手段】
【０００６】
本発明の接続機構は、前述の課題に鑑み、鋭意研鑽の結果、両側辺に被接続部を有する物体と、物体に接続物体の端面を接続する接続機構であって、接続物体に設けた金具挿通部と、金具挿通部に設けた金具挿通用長孔と、金具挿通用長孔に角部を当接させて背中合わせに且つ短辺圧接部を突出させて長辺操作部を挿通させる一対の固定用金具と、固定用金具の長辺操作部に穿設したビス貫通孔とビス螺合孔と、ビス貫通孔とビス螺合孔とに挿通螺合させる操作用ネジとを備え、長辺操作部が離間するように傾斜部が形成され、操作用ネジにより長辺操作部の離間を近接させることにより短辺圧接部が物体の被接続部を内側から接続物体の端面に圧接させるものであり、更に、被接続部を有する物体は側面に断面逆Ｌ字状に対峙させたレール部を有するアルミ異形押し出し型材タイプの枠体とし、接続物体は中空状のアルミ異形押し出し型材タイプの接続枠体とするものであり、更には、金具挿通部を板状部材で形成し、金具挿通部の両端辺にネジ挿通孔を穿設すると共に、接続物体の端面の両側の縦方向に固定用ネジ部を形成し、固定用ネジ部に螺合する固定用ネジで金具挿通部を固定させるものであり、加えて、操作用ネジを操作するために接続物体に操作用部を形成したものであり、また、固定用金具をバネ部材で形成したものである。
【発明の効果】
【０００７】
本発明の接続機構は、一対の固定用金具を接続物体の端面に設けた金具挿通部の金具挿通長孔に挿通させ、一対の固定用金具の長辺操作部に螺合させた操作用ネジにより操作することにより、一対の固定用金具の角部が梃子の支点となり枢動し、一対の固定用金具の短辺圧接部が物体の鍔状の被接続部を内側から接続物体の端面に圧接させることにより、操作用ネジを軽く指で回動させることで、強固に、且つ、容易に物体には何ら加工することなく側面の何処にでも接続でき、分解も容易な接続機構であり、その貢献性は計り知れないもので、極めて有意義な実用性の高いものである。
【発明を実施するための最良の形態】
【０００８】
以下、本発明の接続機構の実施例の図面を用いて詳細に説明すると、図１は本発明の接続機構の実施例の概要を説明するための斜視図であり、図２は本発明の接続機構の実施例の全体の概要を説明するための斜視図であり、図３は本発明の接続機構の実施例の接続物体の端面に装着状態を説明するための斜視図であり、図４は本発明の接続機構で接続する物体を説明するための斜視図であり、図５は本発明の接続機構の接続前の状態を説明する断面説明図であり、図６は本発明の接続機構の接続後の状態を説明する断面説明図である。
【０００９】
本発明は、物体と接続物体とを接続する接続機構に関するものであって、更に、詳細には、特に、展示コーナー、ブース、パーテーション等を展設する際の枠体、パネル体に好適なもので、レール状の被接続部を有する物体の側面の任意な位置に組込スペースを有する接続物体の端面を指先の回転力程度の軽い力で容易に且つ強固に接続できる接続機構に関するものであり、請求項１に記載の接続機構は、両側辺に鍔状の被接続部１ａを有する物体１と、該物体１に組込スペースを有する接続物体２の端面２ａを接続する接続機構であって、前記接続物体２の端面２ａの組込スペースを覆うように設けた金具挿通部３と、該金具挿通部３に設けた細い矩形状の金具挿通用長孔３ａと、該金具挿通用長孔３ａに角部４ａを当接させて背中合わせに且つ短辺圧接部４ｂを突出させて長辺操作部４ｃを挿通させる側面略Ｌ字状の一対の固定用金具４と、該一対の固定用金具４の夫々の長辺操作部４ｃに穿設したビス貫通孔４ｄとビス螺合孔４ｅと、該ビス貫通孔４ｄとビス螺合孔４ｅとに挿通螺合させる操作用ネジ５とを備え、前記側面略Ｌ字状の一対の固定用金具４は背中合わせに角部４ａを当接させたとき夫々の長辺操作部４ｃが離間するように傾斜部４ｃａが形成され、前記操作用ネジ５により夫々の長辺操作部４ｃの離間を近接させることにより夫々の短辺圧接部４ｂが物体１の被接続部１ａを内側から接続物体２の端面２ａに圧接させることを特徴とするものである。
【００１０】
更に、請求項２に記載の接続機構は、請求項１に記載の接続機構において、前記両側辺に鍔状の被接続部１ａを有する物体１は側面の両側辺に断面逆Ｌ字状に対峙させたレール部を有するアルミ異形押し出し型材タイプの枠体とし、前記物体１の側面に端面２ａを接続する接続物体２は組込スペースを有する中空状のアルミ異形押し出し型材タイプの接続枠体とするものである。
【００１１】
更には、請求項３に記載の接続機構は、請求項１又は請求項２に記載の接続機構において、前記金具挿通部３を板状部材で形成し、該金具挿通部３の両端辺に夫々のネジ挿通孔３ｂを穿設すると共に、前記接続物体２の端面２ａの両側の縦方向に夫々固定用ネジ部２ｂを形成し、該夫々の固定用ネジ部２ｂに螺合する夫々の固定用ネジ６で前記金具挿通部４を固定させることを特徴とするものである。
【００１２】
加えて、請求項４に記載の接続機構は、請求項１〜３のいずれか一項に記載の接続機構において、前記操作用ネジ５を操作するために接続物体２に操作用部２ｃを形成したことを特徴とするものである。
【００１３】
更には、請求項５に記載の接続機構は、請求項１〜４のいずれか一項に記載の接続機構において、前記一対の固定用金具４をバネ部材で形成したことを特徴とするものである。
【実施例】
【００１４】
即ち、本発明の接続機構の物体１と接続物体２は、図５及び図６に図示する如く、物体１には少なくとも側面の両側辺には対称に鍔状の被接続部１ａを有するものであり、接続物体２には少なくとも端面２ａに露出した中空状の組込スペースを有するものであり、組込スペースの上面には後述する金具挿通部３を設けるものである。
【００１５】
そして、金具挿通部３は、接続物体２の端面２ａの上面に組込スペースを覆うように設けているもので、端面２ａの接続物体２を屈曲延設して一体に設けても、後述するように別体にして固定しても構わないものである。
【００１６】
次に、金具挿通用長孔３ａは、金具挿通部３の略中央に穿設した細い矩形状の開口であり、後述する一対の固定用金具４を挿通させるもので、一対の固定用金具４の巾方向の移動は不可とするが、一対の固定用金具４の夫々の回動は可能としているものである。
【００１７】
次いで、一対の固定用金具４は、図１に図示する如く、金属板製のもので側面略Ｌ字状に角部４ａを介して短辺圧接部４ｂと長辺操作部４ｃを延設させており、金具挿通用長孔３ａに角部４ａを当接させて背中合わせに短辺圧接部４ｂを突出させ長辺操作部４ｃを接続物体２の端面２ａの組込スペースに組み込むものである。
【００１８】
更に、ビス貫通孔４ｄとビス螺合孔４ｅとは、一対の固定用金具４の夫々の長辺操作部４ｃに穿設しているもので、片方の固定用金具４にビス貫通孔４ｄを穿設し、他方の固定用金具４には螺子を螺設したビス螺合孔４ｅを形成するものであり、後述する操作用ネジ５を挿通させるものである。
【００１９】
更には、操作用ネジ５は、一対の固定用金具４の片方の長辺操作部４ｃに設けたビス貫通孔４ｄに貫通させると共に、他方の長辺操作部４ｃに設けたビス螺合孔４ｅに螺合させるものである。
【００２０】
次いで、傾斜部４ｃａは、一対の固定用金具４の長辺操作部４ｃの基端辺に形成しているもので、側面略Ｌ字状の一対の固定用金具４を背中合わせにして角部４ａを当接させたとき、夫々の長辺操作部４ｃが離間するように形成したものであり、つまり、短辺圧接部４ｂと傾斜部４ｃａとは略直角に折曲させ、傾斜部４ｃａの先端側の長辺操作部４ｃは若干角度で反対側に折曲させているものである。
【００２１】
更に、一対の固定用金具４の短辺圧接部４ｂは、操作用ネジ５により夫々の長辺操作部４ｃの離間を近接させることにより、物体１の被接続部１ａを内側から接続物体２の端面２ａに圧接させるもので、一対の固定用金具４の夫々の角部４ａを支点とする梃子の原理を利して固定するものである。
【００２２】
そして、次実施例においては、物体１と接続物体２とに、特に近年頻繁に使用されている略矩形状の中空部を備えた中空状のアルミ異形押し出し型材タイプを用いたもので、両側辺に鍔状の被接続部１ａを有する物体１は、図４に図示する如く、側面の両側辺の長手方向に断面逆Ｌ字状に対峙させたレール部を有するアルミ異形押し出し型材タイプの枠体とし、物体１の側面に端面２ａを接続する接続物体２は、図２又は図３に図示する如く、中空状のアルミ異形押し出し型材タイプの接続枠体として実施したものである。
【００２３】
次に、他の実施例の金具挿通部３は、別体の矩形状の金属板としたもので、接続物体２の端面２ａに両端辺の縦方向に固定用ネジ部２ｂを形成し、該夫々の固定用ネジ部２ｂと合致する位置の金具挿通部３に固定用ネジ６で固定するための夫々ネジ挿通孔３ｂと、夫々のネジ挿通孔３ｂの間には細い矩形状の金具挿通用長孔３ａを穿設しているものである。
【００２４】
次いで、接続物体２をアルミ異形押し出し型材タイプの接続枠体とする場合は、長手方向に予め形成されている内側に対峙して突出する断面Ｃ字状の突条に内螺子の固定用ネジ部２ｂを螺設したものであり、夫々の固定用ネジ部２ｂに夫々固定用ネジ６を螺着させるものである。
【００２５】
更に、操作用ネジ５を挿入又は操作するために接続物体２が閉鎖されている場合、接続物体２の端面２ａの近傍の側面の固定用金具４の長辺操作部４ｃに設けたビス貫通孔４ｄとビス螺合孔４ｅと合致する位置に操作用部２ｃを形成したもので、孔を穿設しても切欠を形成しても良く、操作用ネジ５を挿入すると共にドライバー等の道具により操作するものである。
【００２６】
加えて、一対の固定用金具４をバネ部材で形成することにより、梃子の作用がより増大された接続機構と成ると共に、バネ部材の弾性力により、不要の負荷がかかった場合にはバネ部材が緩衝するために物体１や接続物体２が変形することを防止するものである。
【００２７】
つまり、本発明の接続機構の組み込みは、一対の固定用金具４を背中合わせにして金具挿通部３の金具挿通用長孔３ａに下方から短辺圧接部４ｂを挿通させ、その状態で固定用金具４の長辺操作部４ｃを接続枠体２の端面２ａの内側の組込スペースに組み込ませるものである。
【００２８】
次いで、図５に図示する如く、接続物体２の端面２ａより突出した一対の固定用金具４の短辺圧接部４ｂを物体１の被接続部１ａに端部から挿通させて、接続したい位置にスライドさせて、操作用ネジ５を挿入して、ビス貫通孔４ｄを貫通させビス螺合孔４ｅに螺合させ、操作用ネジ５を回動させるものである。
【００２９】
そうすると、図６に図示する如く、背中合わせにした一対の固定用金具４の角部４ａが梃子の支点となり夫々の長辺操作部４ｃが接近することにより、夫々の短辺圧接部４ｂが物体１の被接続部１ａを内側から接続物体２の端面２ａに圧接させ、強固に接続できるものである。
【００３０】
尚、他の実施例においては、金具挿通部３の金具挿通用長孔３ａに一対の固定用金具４を挿通させて、接続物体２の端面２ａに載置させ、接続物体２に形成した固定用ネジ部２ｂと金具挿通部３に穿設したネジ挿通孔３ｂとの位置は合致しており、固定用ネジ６を夫々の固定用ネジ部２ｂに螺合させて組み込みは完了するものである。
【産業上の利用可能性】
【００３１】
本発明の接続機構は、固定用金具を組込スペースを有した接続物体の端面に金具挿通部と固定用ネジとで装着し、固定用金具の長辺操作部に螺合させた操作用ネジにより操作することにより、固定用金具の角部が梃子の支点となり枢動し、固定用金具の短辺圧接部が物体の被接続部を内側から接続物体の端面に圧接させることにより、操作用ネジを軽く指で回動させることで、強固に、且つ、容易に、枠体には何ら加工することなく側面の何処にでも接続できる接続機構を提供するものである。
【図面の簡単な説明】
【００３２】
【図１】図１は本発明の接続機構の実施例の概要を説明するための斜視図である。
【図２】図２は本発明の接続機構の実施例の全体の概要を説明するための斜視図である。
【図３】図３は本発明の接続機構の実施例の接続物体の端面に装着状態を説明するための斜視図である。
【図４】図４は本発明の接続機構で接続する物体を説明するための斜視図である。
【図５】図５は本発明の接続機構の接続前の状態を説明する断面説明図である。
【図６】図６は本発明の接続機構の接続後の状態を説明する断面説明図である。
【符号の説明】
【００３３】
１      物体
１ａ    被接続部
２      接続物体
２ａ    端面
２ｂ    固定用ネジ部
２ｃ    操作用部
３      金具挿通部
３ａ    金具挿通用長孔
３ｂ    ネジ挿通孔
４      固定用金具
４ａ    角部
４ｂ    短辺圧接部
４ｃ    長辺操作部
４ｃａ  傾斜部
４ｄ    ビス貫通孔
４ｅ    ビス螺合孔
５      操作用ネジ
６      固定用ネジ
【図１】
2008039073.tif 000003
【図２】
2008039073.tif 000004
【図３】
2008039073.tif 000005
【図４】
2008039073.tif 000006
【図５】
2008039073.tif 000007
【図６】
2008039073.tif 000008